(57)【特許請求の範囲】
【請求項１】
少なくとも第一の記録サイズと前記第一の記録サイズよりも大きな第二の記録サイズとを含む複数の記録サイズのうちいずれかに画像の記録サイズを切り替える切替手段と、
撮像に関する感度を設定する設定手段と、
前記切替手段によって、前記第一の記録サイズから前記第二の記録サイズに切り替えられた際に、前記感度として設定されていた第一の値が、前記第二の記録サイズにおいて設定可能な前記感度の上限値よりも大きい場合に、前記感度を第一の値から前記上限値よりも小さい第二の値に変更し、
前記第一の値が、前記上限値以下である場合には、前記感度を前記第一の値から変更しないように前記設定手段を制御する制御手段とを有することを特徴とする撮像制御装置。
【請求項２】
前記制御手段は、前記切替手段によって、前記第一の記録サイズから前記第二の記録サイズに切り替えられた後、さらに前記第二の記録サイズから前記第一の記録サイズへと切り替えられた際に、設定中の前記感度が前記第二の値である場合には、前記感度を前記第一の値へと変更し、設定中の前記感度が前記第一の値である場合には、前記感度を変更しないように前記設定手段を制御することを特徴とする請求項１に記載の撮像制御装置。
【請求項３】
前記感度を設定するユーザの操作を受け付け可能な受付手段とをさらに有し、
前記第一の値は、ユーザの操作により設定された前記感度の値であることを特徴とする請求項１または２に記載の撮像制御装置。
【請求項４】
前記第二の値は、前記第二の記録サイズにおいて設定可能な前記感度の上限値であることを特徴とする請求項１乃至３の何れか１項に記載の撮像制御装置。
【請求項５】
前記第二の記録サイズにおける動画の解像度は、前記第一の記録サイズの動画の解像度よりも大きいことを特徴とする請求項１乃至４の何れか１項に記載の撮像制御装置。
【請求項６】
前記第二の記録サイズにおいて設定可能な前記感度の上限値は、前記第一の記録サイズにおいて設定可能な前記感度の上限値よりも小さいことを特徴とする請求項１乃至５の何れか１項に記載の撮像制御装置。
【請求項７】
撮像部により撮影された画像に特定の処理を施す処理手段とをさらに有し、
前記処理手段が撮像された画像に前記特定の処理をかける場合に、
前記第二の記録サイズにおいて所定の感度で得られた画像に前記特定の処理をかける場合の処理の量は、前記第一の記録サイズにおいて前記所定の感度で得られた画像に前記特定の処理をかける場合の処理の量よりも大きくなることを特徴とする請求項１乃至６の何れか１項に記載の撮像制御装置。
【請求項８】
前記特定の処理は、ノイズリダクションであることを特徴とする請求項７に記載の撮像制御装置。
【請求項９】
前記制御手段は、前記第一の記録サイズから前記第二の記録サイズに切り替えられたことに応じて、前記感度を前記第一の値から前記第二の値に変更した場合に、前記第一の値を示す情報を記録手段に記録するように制御し、
前記第二の記録サイズから前記第一の記録サイズに切り替えられたことに応じて、前記感度を前記第二の値から、前記記録手段に記録されている情報に基づいて前記第一の値に設定するように前記設定手段を制御することを特徴とする請求項１乃至８の何れか１項に記載の撮像制御装置。
【請求項１０】
記録サイズを切り替えるための操作手段をさらに有し、
前記制御手段は、表示部に並置されている複数のアイコンのうち、現在の記録サイズを示すアイコンから、前記操作手段の操作方向に応じた方向に配置されたアイコンに対応する記録サイズに切り替えるように前記切替手段を制御することを特徴とする請求項１乃至９の何れか１項に記載の撮像制御装置。
【請求項１１】
撮像指示を受け付ける撮像指示手段と、
撮像部により得られた画像と、前記第一の記録サイズを示すアイコンと前記第二の記録サイズを示すアイコンとを含む記録サイズを示す複数のアイコンを表示部に表示するように制御する表示制御手段とをさらに有し、
前記制御手段は、前記撮像指示手段により撮像指示がされたことに応じて、前記撮像部により得られた画像を前記複数のアイコンのうち選択されているアイコンに対応する記録サイズで記録するように制御することを特徴とする請求項１乃至１０の何れか１項に記載の撮像制御装置。
【請求項１２】
前記表示制御手段は、前記切替手段によって前記第一の記録サイズから前記第二の記録サイズに切り替えられた場合には、前記第二の記録サイズにおいて設定可能な前記感度の上限値をユーザに表示するように制御することを特徴とする請求項１１に記載の撮像制御装置。
【請求項１３】
前記記録サイズには、フルハイビジョンと４Ｋの何れかが含まれることを特徴とする請求項１乃至１２の何れか１項に記載の撮像制御装置。
【請求項１４】
少なくとも第一の記録サイズと前記第一の記録サイズよりも大きな第二の記録サイズとを含む複数の記録サイズのうちいずれかに画像の記録サイズを切り替える切替ステップと、
撮像に関する感度を設定する設定ステップと、
前記切替ステップにおいて、前記第一の記録サイズから前記第二の記録サイズに切り替えられた際に、前記感度として設定されていた第一の値が、前記第二の記録サイズにおいて設定可能な前記感度の上限値よりも大きい場合に、前記感度を第一の値から前記上限値よりも小さい第二の値に変更し、
前記第一の値が、前記上限値以下である場合には、前記感度を前記第一の値から変更しないように制御する制御ステップとを有することを特徴とする撮像制御装置の制御方法。
【請求項１５】
コンピュータを、請求項１乃至１３のいずれか１項に記載された撮像制御装置の各手段として機能させるためのプログラム。
【請求項１６】
コンピュータを、請求項１乃至１３のいずれか１項に記載された撮像制御装置の各手段として機能させるためのプログラムを格納したコンピュータが読み取り可能な記録媒体。
【発明の詳細な説明】
【技術分野】
【０００１】
本発明は、撮像制御装置およびその制御方法に関し、特に記録サイズの設定変更に伴って、画像に関する感度を適切な値に設定する技術に関する。
【背景技術】
【０００２】
近年、今までのＦＨＤ（フルハイビジョン）等とは異なる４Ｋ２Ｋ等の解像度や記録サイズの動画が登場し、撮像装置においてもこれらの複数の記録サイズで撮影ができるものがある。
【０００３】
一方で、特許文献１には、ＩＳＯ感度が大きいほどノイズリダクションを多くかけることが記載されている。
【先行技術文献】
【特許文献】
【０００４】
【特許文献１】特開２０１０−２７８５３０号公報
【発明の概要】
【発明が解決しようとする課題】
【０００５】
ノイズリダクションのような処理を行う場合に、記録サイズが大きくなるとその分処理の負荷が大きくなる。特許文献１のようにＩＳＯ感度に基づいてノイズリダクションをかけると、ＩＳＯ感度が高いほど処理負荷が大きくなる。よって、記録サイズが大きい画像においてＩＳＯ感度が高くなると、特に動画のようにフレームレートが決まっている撮影においては処理が追い付かず、画像が途切れ、画像の質が低下する可能性がある。一方で、画像の質を低下させないために、ＩＳＯ感度を低くするとユーザの意図した設定値とは異なる値で撮影が行われてしまう可能性がある。
【０００６】
本発明は、上記の課題に鑑み、画像の質を損なうことなく、最適な感度により撮影を行うことのできる撮像制御装置の提供と目的とする。
【課題を解決するための手段】
【０００７】
上記目的を達成するために、本発明の撮像制御装置は、少なくとも第一の記録サイズと前記第一の記録サイズよりも大きな第二の記録サイズとを含む複数の記録サイズのうちいずれかに画像の記録サイズを切り替える切替手段と、撮像に関する感度を設定する設定手段と、前記切替手段によって、前記第一の記録サイズから前記第二の記録サイズに切り替えられた際に、前記感度として設定されていた第一の値が、前記第二の記録サイズにおいて設定可能な前記感度の上限値よりも大きい場合に、前記感度を第一の値から前記上限値よりも小さい第二の値に変更し、前記第一の値が、前記上限値以下である場合には、前記感度を前記第一の値から変更しないように前記設定手段を制御する制御手段とを有することを特徴とする。
【発明の効果】
【０００８】
本発明によれば、画像の質を損なうことなく、最適な感度で撮影を行うことができる。
【図面の簡単な説明】
【０００９】
【図１】本実施形態の構成を適用可能な装置の一例としてのデジタルカメラの外観図
【図２】本実施形態の構成を適用可能な装置の一例としてのデジタルカメラの構成例を示すブロック図
【図３】本実施形態における記録サイズセットの設定処理を示すフローチャート
【図４】本実施形態における記録サイズセットの設定画面及びライブビュー画面の一例を示す図
【図５】本実施形態におけるＩＳＯ値の設定画面の一例を示す図
【発明を実施するための形態】
【００１０】
以下、図面を参照して本発明の好適な実施形態を説明する。
【００１１】
図１（ａ）、（ｂ）に本発明の撮像制御装置の一例としてのデジタルカメラの外観図を示す。図１（ａ）はデジタルカメラ１００の前面斜視図であり、図１（ｂ）はデジタルカメラ１００の背面斜視図である。図１（ｂ）において、表示部２８は画像や各種情報を表示する表示部である。表示部２８には、タッチ操作を検出可能なタッチパネル７０ａが重畳されている。シャッターボタン６１は撮影指示を行うための操作部である。モード切替スイッチ６０は動画や静止画といった各種モードを切り替えるための操作部である。電源スイッチ７２はデジタルカメラ１００の電源のＯＮ及びＯＦＦを切り替える操作部材である。電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、ライブビュー（以下、ＬＶ）画像表示のＯＮとＯＦＦを切り替えるボタンである。メニューボタン７８は、メニュー画面の表示と非表示を切り替えるボタンであり、メニュー画面においては後述するＩＳＯ感度の設定や、ライブビュー画像に表示する情報の設定等を行うことができる。Ｑボタン７７（クイック設定ボタン）は、撮影中（ライブビュー画像表示）にメニュー画面に遷移せずに、ライブビュー画面上で簡単に項目の設定変更をするためのボタンである。Ｑボタン７７を押下すると設定可能な項目（Ｑ設定画面）がライブビュー画面に重畳して表示され、ライブビュー画像を見ながら設定変更操作を行うことができる。
【００１２】
図２は、本実施形態によるデジタルカメラ１００の構成例を示すブロック図である。
【００１３】
レンズ１０３は通常、複数枚のレンズから構成されるが、ここでは簡略して一枚のレンズのみで示している。シャッター１０１は絞り機能を備えるシャッターである。
【００１４】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１５】
画像処理部２４は、Ａ／Ｄ変換器２３からのデータ、又は、メモリ制御部１５からのデータに対し所定の画素補間、縮小といったリサイズ処理や色変換処理を行う。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。表示部２８は画像を表示するための背面モニタであり、画像を表示するディスプレイであれば液晶方式に限らず、有機ＥＬなど他の方式のディスプレイであってもよい。
【００１８】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。また、不揮発性メモリ５６には、現在設定中の設定値であり、現在の撮影に使用される値を記憶するための設定中記録領域５６ａと、現在行っている撮影には適用されないが今後の撮影において適用可能な設定値を記憶するための保存用記録領域５６ｂとがある。設定中記録領域５６ａには例えば、設定中ＩＳＯ値が記録され、保存用記録領域５６ｂには例えば、保存用ＩＳＯ値が記録される。
【００１９】
システム制御部５０は、デジタルカメラ１００全体を制御する。前述した不揮発性メモリ５６に記録されたプログラムを実行することで、後述する本実施形態の各処理を実現する。
【００２０】
システムメモリ５２には、システム制御部５０の動作用の定数、変数、不揮発性メモリ５６から読み出したプログラム等を展開する。システムメモリ５２は、ＲＡＭが用いられる。また、システム制御部５０はメモリ３２、Ｄ／Ａ変換器１３、表示部２８等を制御することにより表示制御も行う。
【００２１】
モード切替スイッチ６０、シャッターボタン６１、操作部７０はシステム制御部５０に各種の動作指示を入力するための操作手段である。
【００２２】
モード切替スイッチ６０は、システム制御部５０の動作モードを静止画記録モード、動画撮影モード、再生モード等のいずれかに切り替える。
【００２３】
シャッターボタン６１は、静止画の撮影指示や、動画の撮影開始指示もしくは撮影終了指示を行うためのボタンである。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えばメニューボタン７８、ＳＥＴボタン７５、十字キー７４、電子ダイヤル７３、等がある。
【００２５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２６】
電源部３０は、アルカリ電池やリチウム電池等の一次電池やＮｉＣｄ電池やＮｉＭＨ電池、Ｌｉ電池等の二次電池、ＡＣアダプター等からなる。電源スイッチ７２への電源オン、電源オフの切り替え指示がされると、システム制御部５０に電源の入り切りの指示が伝わり電源の入り切りすることができる。
【００２７】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２８】
ここで、本実施形態におけるＩＳＯ感度の設定値（ＩＳＯ値）について説明する。ＩＳＯ値は、画像の明るさを決める感度に関する設定値であり、メニュー画面またはＱ設定画面において設定可能である。一般的に、ＩＳＯ値が高いほど、高感度に撮影を行うことができるが、画像にノイズが発生しやすくなる。ノイズを取り除く処理（ノイズリダクション）は、画像の解像度によって処理が異なり、またファイルの大きさが大きいほど装置への処理の度合いが大きくなるため処理負荷が高くなる。または、解像度が高い分、ノイズリダクションをするための検定範囲を変える等の処理の内容が異なる場合もある。そのため、記録サイズ（解像度とファイルサイズ）が大きく異なる４ＫとＦＨＤ（フルハイビジョン）の動画撮影を、同じＩＳＯ値で撮影をすると４Ｋの撮影をする際にＦＨＤの時よりも処理に時間を要する可能性がある。ユーザが高いＩＳＯ値で撮影を行おうと設定した後に、設定されたＩＳＯ値のまま撮影が行われると、場合によってはノイズリダクションの処理が設定されたフレームレートに追い付かない可能性がある。そのため、処理が追い付かなかったフレームがかけて、画像が途切れてしまい、画像の質が低下する可能性がある。一方で、画像の質が低下しないためにＩＳＯ値を低く設定するようにすると、ユーザの意図したＩＳＯ値が撮影に反映されず、ユーザの意図した画像が得られない可能性がある。よって、本実施形態では、より解像度の高い４ＫのＩＳＯ値の上限の初期値（初期設定における上限値）をＦＨＤよりも小さくすることで、４Ｋの動画撮影の際の画像の質の低減を防ぐ。ただし、後述するようにＩＳＯ値の設定範囲の設定画面において、ユーザ操作に応じて４ＫのＩＳＯ値はＦＨＤと同じ上限に設定可能なので、ユーザが意図的に設定した場合には、画像の質が低減する可能性があるが、４Ｋの動画を高い感度で撮影することもできる。
【００２９】
図５はＩＳＯ値のＱ設定画面を示しており、図５（ａ）のＱ設定画面５０１は設定中の動画の記録サイズがＦＨＤの場合、図５（ｂ）のＱ設定画面５０２は設定中の動画の記録サイズが４Ｋの場合を示している。動画の記録サイズがＦＨＤに設定されている場合にはＦＨＤ用の設定画面が表示され、４Ｋに設定されている場合には４Ｋ用の設定画面が表示される。それぞれの設定画面においてユーザは十字キー７４及びＳＥＴボタン７５への操作や、ＩＳＯ値を示すアイコンへのタッチ操作によってＩＳＯ値を設定可能である（設定変更操作を受付可能）。設定されたＩＳＯ値は設定中記録領域５６ａに記録されて、Ｓ３０３において読みだされる。上述したように、ＦＨＤの初期設定においては、図５（ａ）に示すように、ＩＳＯ値は１００〜５１２００の範囲で設定可能である。一方で、４Ｋの初期設定においては、ノイズ制御を適切に行うために、設定可能なＩＳＯ値の上限値はＦＨＤの場合よりも低くなり、図５（ｂ）に示すように、ＩＳＯ値は１００〜１２８００の範囲で設定可能である。ただし、これは初期設定におけるＩＳＯ値の設定可能な範囲であり、４Ｋにおいて１２８００より大きなＩＳＯ値を設定できないわけではなく、メニュー画面においてＩＳＯ値の設定範囲を変更することができる。メニューボタン７８を押下しメニュー画面を開いた後、ＩＳＯ感度設定を選択し、さらにＩＳＯ値の設定範囲を選択すると図５（ｃ）に示すような４ＫのＩＳＯ値の設定範囲の設定画面５０３が表示される。ＩＳＯ値の設定範囲の設定画面５０３では、図５（ｂ）のＱ設定画面５０２において設定可能なＩＳＯ値の上限値と下限値とを変えることで設定範囲を変更可能である。４ＫのＩＳＯ値の設定範囲の設定画面５０３では、上限値が選択されており、十字キー７４の上ボタンを押下すると上限値を上げることができる。このように、上限値や下限値の値を調整することができる、なお、４ＫのＩＳＯ値の設定範囲が変更されると、Ｑ設定画面で表示されるＩＳＯ値も変わる。例えば、上限値が３２０００に設定されると４Ｋの場合のＱ設定画面５０２には、さらに１６０００、２００００、２５６００、３２０００が表示され、記録サイズが４Ｋの場合にこれらのＩＳＯ値が設定可能となる。
【００３０】
次に、動画の記録サイズの設定について図４を用いて説明する。図４（ａ）に示す記録サイズ設定画面４０２では、動画の記録サイズ、フレームレート、圧縮形式が設定可能である。動画の記録サイズは、４ＫまたはＦＨＤのいずれかから選択可能であり、フレームレートは、５９．９５ｆｐｓ、２９．９７ｆｐｓ、２３．９８ｆｐｓのいずれかから選択可能である。動画の記録サイズが４Ｋの場合の圧縮形式は、ＭＪＰＥＧ（モーションジェイペグ）に設定可能であり、ＦＨＤの場合の圧縮形式は、ＡＬＬ−Ｉ（高画質、編集する動画に適した形式）とＩＰＢ（ファイル容量の軽い、長時間記録に適した形式）に設定可能である。よって、図４（ａ）の記録サイズ設定画面４０２に示すように、それぞれの動画の記録サイズに対して組み合わさるフレームレートと圧縮形式をセットにしてアイコンを表示（並列に配置）する。つまり、アイコン４０４〜４０６はフレームレートがそれぞれ異なるが４Ｋを示しており、アイコン４０７〜４１２はフレームレートと圧縮形式のいずれかが異なるがＦＨＤを示している。
【００３１】
図３を用いて、本実施形態における記録サイズ、フレームレート、圧縮形式の設定処理について説明する。この処理は、不揮発性メモリ５６に記録されたプログラムをシステムメモリ５２に展開してシステム制御部５０が実行することで実現する。なお、この処理は、デジタルカメラ１００に電源が入り、動画モードでライブビュー画面が表示部２８に表示された後、記録サイズ、フレームレート、圧縮形式の設定をする指示がされると開始する。記録サイズ、フレームレート、圧縮形式の設定をする指示は、Ｑボタン７７の押下によって表示された設定可能項目の中から記録サイズ及びフレームレートを設定する項目が選択されることにより行われる。
【００３２】
Ｓ３０１では、システム制御部５０は、図４（ａ）に示すように表示部２８にライブビュー画像４０１を表示する。
【００３３】
Ｓ３０２では、システム制御部５０は、Ｓ３０１で表示部２８に表示したライブビュー画像４０１に重畳して、記録サイズ設定画面４０２を表示する。このように、記録サイズ設定画面４０２はライブビュー画像４０１に重畳して表示されるので、ユーザは被写体を確認しながら設定操作を行うことができる。
【００３４】
Ｓ３０３では、システム制御部５０は、図４（ａ）の記録サイズ設定画面４０２に示すように、不揮発性メモリ５６の設定中記録領域５６ａより読みだした設定中の記録サイズセット（記録サイズ、フレームレート、圧縮形式のセット）に枠４０３を表示する。枠４０３で囲まれている記録サイズセットは、設定中（選択中）であることを示す。また、ガイド４１３には、現在選択中の記録セットを示す説明を表示する。
【００３５】
Ｓ３０４では、システム制御部５０は、保存用の記録領域５６ｂに記録されている保存用ＩＳＯ値を初期化（０に設定）する。
【００３６】
Ｓ３０５では、システム制御部５０は、各記録サイズ（４ＫとＦＨＤ）におけるＩＳＯ値の上限値を読み出す。４ＫのＩＳＯ値は、図５（ｃ）に示したＩＳＯ値の設定範囲の設定画面５０３においてさらに大きな値に設定変更可能であるが、初期設定においては１２８００である。ＩＳＯ値の設定範囲が変更されると、Ｓ３０５において読みだされるＩＳＯ値の上限値も異なる。
【００３７】
Ｓ３０６では、システム制御部５０は、デジタルカメラ１００への操作があったか否かを判定する。操作があったと判定した場合は、Ｓ３０７へ進み、そうでない場合は、操作があるまで待つ。
【００３８】
Ｓ３０７では、システム制御部５０は、シャッターボタン６１が全押し（ＳＷ２）され、動画の撮影開始指示がされたか否かを判定する。動画の撮影開始指示がされたと判定した場合は、Ｓ３０８へ進み、そうでない場合は、Ｓ３１１に進む。
【００３９】
Ｓ３０８では、システム制御部５０は、図４（ｄ）のようにＳ３０２で表示した記録サイズ設定画面４０２を非表示にして、ライブビュー画像４０１を表示する。このように、記録サイズ設定画面４０２が表示されていても、撮像指示がされると撮影（すなわち、画像の記録）を行うのでユーザは記録サイズ設定画面４０２を閉じる操作を行わなくても、設定した記録サイズセットですぐに撮影を行うことができる。
【００４０】
Ｓ３０９では、システム制御部５０は、撮像部２２により得られた（撮影された）画像を設定中記録領域５６ａに記録されている記録サイズセットの設定値で処理し、さらにノイズリダクション処理をして記録媒体２００に記録する。
【００４１】
Ｓ３１０では、システム制御部５０は、シャッターボタン６１が全押し（ＳＷ２）され、動画の撮影終了指示がされたか否かを判定する。動画の撮影終了指示がされたと判定した場合は、記録サイズの設定処理を終了し、そうでない場合は、Ｓ３１０に戻り、撮影終了指示がされるまで記録を続ける。
【００４２】
Ｓ３１１では、システム制御部５０は、ＳＥＴボタン７５が押下されたことにより、現在枠４０３が表示されている記録サイズセットに設定され、設定変更操作を終了する指示がされたか否かを判定する。設定変更操作を終了する指示がされたと判定された場合は、記録サイズの設定処理を終了し、そうでない場合は、Ｓ３１２に進む。
【００４３】
Ｓ３１２では、システム制御部５０は、記録サイズセットの変更操作があったか否かを判定する。記録サイズセットの変更操作は、十字キー７４の上下左右ボタンの押下や、電子ダイヤル７３の回転操作、各記録サイズセットを示すアイコン４０４〜４１２へのタッチ操作によって行うことができる。十字キー７４の右ボタンを押下すると、設定される記録サイズが同列にある左から右にある記録サイズに切り替わる（アイコン４０４、４０７、４１０の順で選択される）。右端にある記録サイズ（例えばアイコン４１０）が選択されている際に、十字キー７４の右ボタンが押下されると、次の列の左端の記録サイズ（アイコン４１０からアイコン４０５）に選択される記録サイズが切り替わる。同様に、左端にある記録サイズが選択されている際に、十字キー７４の左ボタンが押下されると、前の列の右端の記録サイズに選択される記録サイズが切り替わる。例えばアイコン４０４が選択されている場合には、アイコン４０４は最上列にあるので最下列の右端へ、すなわちアイコン４０４からアイコン４１２に選択される記録サイズが切り替わる。このように、十字キー７４の各キーの方向（操作方向）に応じた位置にあるアイコンが次々に選択され、各アイコンに対応する記録サイズセットに設定される。十字キー７４を用いて選択操作を行う場合、例えば、図４（ａ）で選択されているアイコン４０７からアイコン４１２を選択する場合には、十字キー７４の左ボタンを２回押した方が、右ボタンを１回と下ボタン１を２回押すよりも操作回数が少ない。つまり、ユーザはＦＨＤからＦＨＤのように、たとえ同じ種類の記録サイズに選択を切り替えるような場合であっても、図４（ａ）、図４（ｂ）、図４（ｃ）に示すような順番で４Ｋを通過した方が操作回数は少ない。記録サイズセットの変更操作があったと判定した場合は、Ｓ３１４へ進み、そうでない場合は、Ｓ３１３に進む。
【００４４】
Ｓ３１３では、システム制御部５０は、Ｓ３０６で判定された操作に応じた処理を行う。行う処理には例えば、メニューボタン７８の押下によるメニュー画面の表示指示や、Ｑボタン７７の押下によってＱ設定で設定変更可能な他の項目の設定変更処理を行う指示等がある。詳細な処理についてはここでは割愛する。
【００４５】
Ｓ３１４では、システム制御部５０は、Ｓ３１２での記録サイズセットの変更によって、記録サイズがＦＨＤから４Ｋに、または４ＫからＦＨＤに変更されたかを判定する。記録サイズが変更されたと判定した場合は、Ｓ３１５へ進み、そうでない場合は、Ｓ３２２へ進む。
【００４６】
Ｓ３１５では、システム制御部５０は、記録サイズがＦＨＤから４Ｋに変更されたか否かを判定する。記録サイズがＦＨＤから４Ｋに変更されたと判定した場合は、Ｓ３１６へ進み、そうでない（４ＫからＦＨＤに変更された）場合は、Ｓ３２０に進む。
【００４７】
Ｓ３１６では、システム制御部５０は、設定中記録領域５６ａに記録されている設定中ＩＳＯ値が、Ｓ３０５で読み出された４ＫのＩＳＯ値の上限値よりも大きいか否かを判定する。つまり、ユーザの設定したＩＳＯ値が４ＫのＩＳＯ値の上限値よりも大きいか否かを判定する。４ＫのＩＳＯ値の上限値よりも大きいと判定された場合は、Ｓ３１７へ進み、そうでない場合は、Ｓ３２２へ進む。ユーザの設定したＩＳＯ値が４ＫのＩＳＯ値の上限値以下である場合には、４Ｋの撮影においてもユーザの設定したＩＳＯ値で撮影を行う。
【００４８】
Ｓ３１７では、システム制御部５０は、直前に記録されていた（直前のＳ３０６で操作が行われた際に設定中記録領域５６ａに記録されていた）設定中ＩＳＯ値を保存用記録領域５６ｂに記憶する。つまり、Ｓ３０４で記録していた初期値から、直前に設定中記録領域５６ａに記録されていた設定中のＩＳＯ値に、保存用記録領域５６ｂに記録される保存用ＩＳＯ値を書き替える。
【００４９】
Ｓ３１８では、システム制御部５０は、図４（ｂ）のガイド４１５に示すように、ＩＳＯ値が４Ｋの上限値である１２８００になり、設定されたＩＳＯ値よりも小さくなることを説明するガイド（警告）を表示する。また、記録サイズをＦＨＤから４Ｋに変更したことにより、ＩＳＯ値が４Ｋの上限値に自動的に低い値に変更（クリップ）されても、ユーザが上限値の拡張範囲を高くすることができる説明も表示する。ただし、Ｓ３１８で説明したガイドは必ずしも設定中のＩＳＯ値がクリップされる場合にのみ表示するのではなく、ＦＨＤから４Ｋに切り替えられたことに応じてＩＳＯ値の上限値が変わったことを示すために表示してもよい。
【００５０】
Ｓ３１９では、システム制御部５０は、設定中記録領域５６ａに４ＫのＩＳＯ値の上限値である１２８００を記録する。このように、ＦＨＤから４Ｋへの記録サイズの変更操作によって、画像の質を低減させない適切な値にＩＳＯ値を設定する（クリップする）。つまり、ユーザが高いＩＳＯ値に設定し、記録サイズの大きい４Ｋに切り替えた際に、ユーザが設定変更操作を行わなくても、ＩＳＯ値が４Ｋの撮影時に適切な値（４Ｋの上限値）に設定される。このように、ユーザが記録サイズの変更操作を行う際に、意図せず画像が途切れてしまう等の画像の質が低減することを防ぐことができる。また、４ＫのＩＳＯ値の上限値を設定中ＩＳＯ値に設定するので、ユーザが４Ｋの上限値よりも大きなＩＳＯ値を設定した場合にもよりユーザの設定した値に近い値での撮影を行うことができる。また、Ｓ３１６で説明したように、ユーザの設定したＩＳＯ値が４ＫのＩＳＯ値の上限値よりも小さい場合には、４Ｋに切り替えられても４ＫのＩＳＯ値の上限値には設定しないので、ユーザの設定したＩＳＯ値で撮影を行うことができる。このようにＩＳＯ値を設定することにより、４Ｋの撮影においてよりユーザの意図に沿ったＩＳＯ値で撮影を行うことができる。
【００５１】
Ｓ３２０〜Ｓ３２１の処理は、Ｓ３１５において、４ＫからＦＨＤに記録サイズが切り替えられた場合の処理である。
【００５２】
Ｓ３２０では、システム制御部５０は、保存用記録領域５６ｂに記録されたＩＳＯ値が設定中記録領域５６ａに記録されたＩＳＯ値よりも大きいか否かを判定する。すなわち、ＦＨＤから４Ｋに記録サイズが切り替えられた際にＩＳＯ値がクリップされたか、Ｓ３１７において保存用ＩＳＯ値が初期値から書き替えられたか否か、または、４ＫのＩＳＯ値の上限値よりもユーザの設定したＩＳＯ値が大きかったか否かを判定する。保存用記録領域５６ｂに記録されたＩＳＯ値が設定中記録領域５６ａに記録されたＩＳＯ値よりも大きいと判定された場合には、Ｓ３２１へ進み、そうでない（ＩＳＯ値がクリップされていなかった）場合は、Ｓ３２２へ進む。ＩＳＯ値がクリップされていない場合には、ＦＨＤから４Ｋに記録サイズが切り替えられた際にＩＳＯ値が小さくなっていないので、ＩＳＯ値の変更処理をすることなく、記録サイズセットの変更の処理を行う。
【００５３】
Ｓ３２１では、システム制御部５０は、設定中記録領域５６ａに記録されている設定中ＩＳＯ値を取り消して、保存用記録領域５６ｂに記録されている保存用ＩＳＯ値を、新たに設定中記録領域５６ａに設定中ＩＳＯ値として記録する。このように、保存用記録領域５６ｂに記録されていた保存用ＩＳＯ値を設定中ＩＳＯ値として設定中記録領域５６ａに書き替えるので、４ＫからＦＨＤに記録サイズを変更した際に、クリップされた値ではなくユーザの設定したＩＳＯ値の撮影を行うことができる。Ｓ３１９の処理とＳ３２１の処理を行うことにより、ユーザがＩＳＯ値を設定し、記録サイズを切り替える操作をした場合に、画像の品質を低減させずに、よりユーザの意図したＩＳＯ値で撮影を行うことができる。
【００５４】
Ｓ３２２では、システム制御部５０は、Ｓ３０６及びＳ３１２で判定された記録サイズセットの変更操作によって、選択された記録サイズセットを設定中記録領域５６ａに記録する。また、選択された記録サイズセットに枠４０３を表示し、選択された記録サイズに関するガイド表示をする。図４（ｂ）のアイコン４０４が選択された場合にはガイド４１４、図４（ｃ）のアイコン４１２が選択された場合にはガイド４１６が表示される。
【００５５】
以上、説明した実施形態によれば、動画の記録サイズの変更操作を行うと、ＩＳＯ値の設定変更操作を行わなくても、適切な値にＩＳＯ値を設定することができる。ユーザが設定したＩＳＯ値では、４Ｋにおいて画像の質が低減する可能性がある場合に、ＦＨＤから４Ｋに記録サイズが切替えられる（すなわち記録サイズ、記録の画素数、解像度が上げられる）と、画像の質を低減させずによりユーザの意図に沿った値に設定する。また、４ＫからＦＨＤに記録サイズが切り替えられると（すなわち記録サイズ、記録の画素数、解像度が下げられると）、ユーザが設定したＩＳＯ値で撮影を行うことができる。
【００５６】
なお、本実施形態では４Ｋの動画撮影において、画像の質が低減する可能性のあるＩＳＯ値を１２８００としたが、これに限らず１００００や、２００００でもよい。４ＫのＩＳＯ値の上限値は、ノイズリダクションにおける処理方法によって、設定すればよい。
【００５７】
また、保存用ＩＳＯ値の初期値を本実施形態では０としたが、これに限らず４ＫのＩＳＯ値の上限値よりも小さな値であればよい。
【００５８】
なお、ＩＳＯ値の設定がクリップされたことに応じて絞りやシャッタースピードの値を変えても良い。このように絞りやシャッタースピードを変えることで、ＩＳＯ値がクリップされて小さくなっても露出が下がり過ぎないようにすることができる。
【００５９】
本実施形態では、ＦＨＤと４Ｋの記録サイズの場合について説明したが、さらに記録サイズの大きな（解像度の大きな）８Ｋ等を含めて記録サイズを選択可能な場合にも本実施形態は適用可能である。つまり、４Ｋから８Ｋに変更されたことに応じて設定されていたＩＳＯ値が８ＫのＩＳＯ値の上限よりも大きかった場合には、８Ｋの上限に設定する。さらに、８ＫからＦＨＤに切り替えられた場合には、ユーザの設定したＩＳＯ値、４Ｋに切り替えられた場合には４Ｋでの上限値に設定してもよい。
【００６０】
また、ＦＨＤから４Ｋに切り替えられＩＳＯ値がクリップされた後、ユーザがＩＳＯ値を４ＫにおけるＩＳＯ値の設定範囲から設定し直した場合には、ＦＨＤに記録サイズを戻してもＩＳＯ値はもともとユーザが設定した値にはしない。ただし、４Ｋ用のＩＳＯ値とＦＨＤ用のＩＳＯ値とを別々に不揮発性メモリ５６に記録しておいて、記録サイズが切り替えられる度に、撮影に仕様するＩＳＯ値をシステムメモリ５２に記録するようにしてもよい。ユーザは４Ｋ用とＦＨＤ用とそれぞれ所望のＩＳＯ値を設定し、撮影に適用することができる。
【００６１】
また、さらにＦＨＤよりも解像度の低いＨＤ等に記録サイズを設定可能な場合には、ＦＨＤからＨＤに切り替えてもＩＳＯ値はユーザの設定した値のままにするが、ＦＨＤから４Ｋに切り替えられるとＩＳＯ値はクリップされる。このように記録サイズが変更されても、ノイズリダクション等の特定の処理をかけた場合に、ＩＳＯ値が高いままだと画質に影響がある場合にはクリップをするが、そうでない場合には、クリップをせずにユーザの設定した値にする。
【００６２】
なお、本実施形態では、動画の記録サイズの変更操作に伴って、適切な値にＩＳＯ値を設定することについて説明をしたがこれに限らず、動画の記録サイズの変更に伴って、撮影可能な撮影時間が設定されるような場合にも適用可能である。また、動画の記録サイズに限らず画像や処理に関する設定であって、設定変更されたことに応じて、画像や処理に関する他の設定値の上限値が変わるような場合にも適用可能である。
【００６３】
また、本実施形態では、動画の記録サイズについて説明したが、これに限らず、静止画や立体画像等においても記録サイズが異なるような場合に適用可能である。
【００６４】
なお、撮像制御装置の制御は１つのハードウェアが行ってもよいし、複数のハードウェアが処理を分担することで、装置全体の制御を行ってもよい。
【００６５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６６】
また、上述した実施形態においては、本発明をデジタルカメラ１００に適用した場合を例にして説明したが、これはこの例に限定されず、記録サイズを変更すると、処理負荷が大きくなってしまうような処理を行う撮像制御装置に適用可能である。また、異なる記録サイズで撮像を行うことができるような撮像装置を制御する撮像制御装置にも適用可能である。すなわち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、撮像部を有する家電装置等に適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【００６７】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006590560.tif 000002
【図２】
0006590560.tif 000003
【図３】
0006590560.tif 000004
【図４】
0006590560.tif 000005
【図５】
0006590560.tif 000006